(57)【要約】【課題】火災が発生して窓やドア等の防火戸が高温に晒されても、障子側の変形による隙間の発生が防止され、火炎の侵入、噴出を防止できる窓やドア等の防火戸における装飾格子の取付け装置を提供すること。【解決手段】    金属製の框材（３）と、上記框材（３）内に保持したガラス（Ｇ）とからなる障子（６）と、上記障子（６）に対向する金属製の装飾格子（１１）と、上記装飾格子（１１）を上記框材（３）に取付ける金属製の取付部材（１５）とを備えている窓又はドアからなる防火戸において、  上記装飾格子（１１）を長尺な筒体（１１Ａ）と、上記筒体（１１Ａ）の端部に圧入した合成樹脂製のキャップ（１２）とで構成し、  上記キャップ（１２）が上記框材（３）に上記取付け部材（１５）を介して取付けている。【選択図】  図１
2018162600.tif 000002
【特許請求の範囲】
【請求項１】
金属製の框材（３）と、上記框材（３）内に保持したガラス（Ｇ）とからなる障子（６）と、上記障子（６）に対向する金属製の筒体からなる装飾格子（１１）と、上記装飾格子（１１）を上記框材（３）に取付ける金属製の取付け部材（１５）とを備えている窓又はドアからなる防火戸において、
上記筒体（１１Ａ）の端部に合成樹脂製のキャップ（１２）を圧入させ、当該キャップ（１２）を上記框材（３）に上記取付け部材（１５）を介して取付けている防火戸における装飾格子の取付け装置。
【請求項２】
上記装飾格子（１１）が端部から軸方向に向けて切りかかれた切欠き溝（１１Ｃ）を有し、
上記キャップ（１２）が上記筒体（１１Ａ）の端部開口端面に当接するヘッド部（１２Ａ）と、上記ヘッド部（１２Ａ）から軸方向に延びて上記筒体（１１Ａ）内に圧入された筒部（１２Ｂ）と、上記筒部（１２Ｂ）のヘッド側端部に外方に向けて膨出又は突出して上記切欠き溝（１１Ｃ）内に嵌合する突出部（１２Ｃ）と、上記突出部（１２Ｃ）に穿った係止孔（１２Ｅ）とを備え、
上記取付け部材（１５）が上記框材（３）の外面側から上記係止孔（１２Ｅ）と上記切欠き溝（１１Ｃ）に挿入して上記突出部（１２Ｃ）に嵌合したボルト又はビス（１４）とで構成していることを特徴とする請求項１に記載の防火戸における装飾格子の取付け装置。
【請求項３】
上記突出部（１２Ｃ）の内周に当接する金属製のナット（１３）が設けられ、上記ボルト又はビス（１４）が上記ナット（１３）に螺合している請求項２に記載の防火戸における装飾格子の取付け装置。
【請求項４】
躯体（４）の開口部（Ａ）に取付けた金属製の框材（３）と、上記框材（３）内に保持したガラス（Ｇ）とからなる障子（６）と、上記障子（６）に対向する金属製の筒体からなる装飾格子（１１）と、上記装飾格子（１１）を上記框材（３）に取付ける金属製の取付け部材（１５）とを備えているサッシ窓において、
上記筒体（１１Ａ）の端部に合成樹脂製のキャップ（１２）を圧入させ、
上記筒体（１１Ａ）の端部に軸方向に向けて切りかかれた切欠き溝（１１Ｃ）を形成し、
上記キャップ（１２）を上記筒体（１１Ａ）の端部開口端面に当接するヘッド部（１２Ａ）と、上記ヘッド部（１２Ａ）から軸方向に延びて上記筒体（１１Ａ）内に圧入された筒部（１２Ｂ）と、上記筒部（１２Ｂ）のヘッド側端部に外方に向けて膨出又は突出して上記切欠き溝（１１Ｃ）内に嵌合する突出部（１２Ｃ）と、上記突出部（１２Ｃ）に穿った係止孔（１２Ｅ）とで構成し、
上記取付け部材（１５）を上記框材（３）の外面側から上記係止孔（１２Ｅ）と上記切欠き溝（１１Ｃ）に挿入して上記突出部（１２Ｃ）に嵌合したボルト又はビス（１４）とで構成していることを特徴とするサッシ窓における装飾格子の取付け装置。
【請求項５】
上記突出部（１２Ｃ）の内周に当接する金属製のナット（１３）が設けられ、上記ボルト又はビス（１４）が上記ナット（１３）に螺合している請求項４に記載のサッシ窓における装飾格子の取付け装置。
【請求項６】
上記筒体（１１Ａ）と上記筒部（１２Ｂ）とに互いに対向する係止孔（１６）が上記取付け部材（１５）から外れた位置に形成され、当該係止孔（１６）内にボルト又はビスからなる止め具（１７）が差し込まれて上記筒体（１１Ａ）と上記筒部（１２Ｂ）との外れ止めが施されている請求項４又は５に記載のサッシ窓における装飾格子の取付け装置。
【発明の詳細な説明】
【技術分野】
【０００１】
本発明は、一般住宅、マンション、ビルディング等の建築物の窓やドア等の防火戸における装飾格子の取付け装置に関する。
【背景技術】
【０００２】
一戸住宅、マンション等の建築物のサッシ窓やガラスは障子とこの障子に対向して装飾格子、いわゆる面格子を配置したものが多く採用されている。
【０００３】
この種,例えば、サッシ窓としては、障子に対向して装飾格子を設けることでサッシ窓の美観を向上させる装飾機能を有し、併せて、サッシ窓の耐久性を向上させながら外部から不審者が侵入するのを防止する防犯機能も有している。
【０００４】
そして、この障子に対する装飾格子の取付け装置として、金属製の機械式取付け構造が一般的に採用されている。
【０００５】
この機械式取付け構造としては、例えば、特許文献１、特許文献２に開示されているものが開発されている。
【０００６】
即ち、特許文献１に開示されている装飾格子の取付け装置はガラスドアに適用されたもので、ガラスドアの框たる建具枠内に組み枠を介して装飾格子が嵌め込まれ、装飾格子と組み枠とがビスを介して建具枠に機械式にねじ止めされたものである。
【０００７】
また、特許文献２に開示されている装飾格子の取付け装置は、ガラス窓に嵌め込まれた装飾格子が内側から枠を貫通する釘状のピン部材で框に機械式に固定するものであり、併せて、框に対して装飾格子の上端部と下端部とをそれぞれ位置決め部材を介して位置決めしたものである。
【先行技術文献】
【特許文献】
【０００８】
【特許文献１】実公平２−３６８７９号公報  （実用新案登録請求の範囲、図1参照）
【特許文献２】実開平６−３７４８８号公報（図１〜図４、段落０００８及び００１１参照）
【発明の概要】
【発明が解決しようとする課題】
【０００９】
しかしながら、上記特許文献１、特許文献２に開示されている装飾格子の取付け装置は機能上特に欠陥が有るわけではないが次のような不具合の改善が望まれている。
【００１０】
即ち、建築物の付近で火災が発生した場合には外部からの火炎が窓やドア等から室内に侵入するのを防止して延焼を避ける必要があり、逆に建築物の室内で火災が発生した場合に室内の火炎が窓やドアから外部へ噴出するのを防止して付近の建築物へ延焼するのを防止する必要があり、窓やドアは防火戸の機能を発揮せる必要がある。
【００１１】
しかるに、上記特許文献１、特許文献２に示す窓やドアは付近の隣接する建物に火災が発生した時、又は自分の建物の室内で火災が発生した時、障子側の框と装飾格子が機械式の取付け装置でしっかりと固定されているため、そのまま固定されている状態で火炎により加熱されてしまう。
【００１２】
この為、框と装飾格子の一方又は両方が高温で変形し、障子側の変形した部分に亀裂や隙間が発生し、外部で火災が発生した場合はこれらの亀裂や隙間から火炎が自己の建物に侵入して自己の建物に延焼し、逆に自己の建物の室内で火災が発生した場合はこの亀裂や隙間から火炎が外部に噴出し、周辺の建築物に延焼してしまう恐れがある。
【００１３】
そこで、本発明の目的は、火災が発生して窓やドア等の防火戸が高温に晒されても、障子側の変形による亀裂や隙間の発生が防止され、火炎の侵入、噴出を防止できる窓やドア等の防火戸における装飾格子の取付け装置を提供することである。
【課題を解決するための手段】
【００１４】
上記の目的を達成する為、本発明の一つの手段は、金属製の框材と、上記框材内に保持したガラスとからなる障子と、上記障子に対向する金属製の筒体からなる装飾格子と、上記装飾格子を上記框材に取付ける金属製の取付け部材とを備えている窓又はドアからなる防火戸において、
上記筒体の端部に合成樹脂製のキャップを圧入させ、当該キャップを上記框材に上記取付部材を介して取付けていることを特徴とするものである。
【００１５】
同じく、他の手段は、躯体の開口部に取付けた金属製の框材と、上記框材内に保持したガラスとからなる障子と、上記障子に対向する金属製の筒体からなる装飾格子と、上記装飾格子を上記框材に取付ける金属製の取付け部材とを備えているサッシ窓において、
上記筒体の端部に合成樹脂製のキャップを圧入させ、上記筒体の端部に軸方向に向けて切りかかれた切欠き溝を形成し、
上記キャップを上記筒体の端部開口端面に当接するヘッド部と、上記ヘッド部から軸方向に延びて上記筒体内に圧入された筒部と、上記筒部のヘッド側端部に外方に向けて膨出又は突出して上記切欠き溝内に嵌合する突出部と、上記突出部に穿った係止孔とで構成し、
上記取付け部材を上記框材の外面側から上記係止孔と上記切欠き溝に挿入して上記突出部に嵌合したボルト又はビスとで構成していることを特徴とするものである。
【発明の効果】
【００１６】
本発明の装飾格子の取付け装置によれば、窓やドア等からなる防火戸が火災による火炎で高温に晒されて障子側の框材や装飾格子側の筒体が加熱された時、キャップも同時に加熱され、框材や筒体より融点の低いキャップが障子や装飾格子に先駆けて溶け落ちる。
その結果、障子側の框材と装飾格子側の筒体との結合が解消されて装飾格子が自重で落下し、装飾格子の高温による変形がガラスや框材に影響を与えず、障子に亀裂や隙間が発生するのを防止できる。
この為、火災時の火炎が窓やドア等の防火戸から侵入し、又は噴出するのを防止し、火災現場付近への延焼を防止でき、防火機能を向上させることが出来る。
【図面の簡単な説明】
【００１７】
【図１】本発明の一実施の形態に係る障子と装飾格子の略示分解斜視図である。
【図２】本発明の一実施の形態に係るサッシ窓の縦断側面図である。
【図３】同じくサッシ窓の横断平面図である。
【図４】（Ａ）本発明の一実施の形態に係る装飾格子の平面図である。（Ｂ）同じく一部切欠き正面図である。（Ｃ）同じく一部切欠き側面図である。（Ｄ）図４（Ｂ）におけるＡ−Ａ線横断平面図である。
【図５】（Ａ）本発明の一実施の形態に係るキャップとナットの分解斜視図である。（Ｂ）同じくナットを組み込んだキャップの斜視図である。（Ｃ）同じくキャップを圧入した状態の装飾格子の一部切欠き斜視図である。
【図６】（Ａ）本発明の他の実施の形態に係る装飾格子の平面図である。（Ｂ）同じく一部切欠き正面図である。（Ｃ）同じく一部切欠き側面図である。（Ｄ）図６（Ｂ）におけるＡ−Ａ線横断平面図である。
【図７】（Ａ）本発明の他の実施の形態に係るキャップとナットの分解斜視図である。（Ｂ）同じくナットを組み込んだキャップの斜視図である。（Ｃ）同じくキャップを圧入した状態の装飾格子の一部切欠き斜視図である。
【図８】本発明の一実施の形態に係る取付け部材を利用して装飾格子を框材に取付けた状態の一部切欠き斜視図である。
【図９】キャップが溶けて装飾格子が落下する状態を示す一部切欠き斜視図である。
【発明を実施するための形態】
【００１８】
以下、図示した本発明の実施の形態をサッシ窓に基づいて説明するが、本発明の装飾格子の取付け装置はその他の窓やドア等の防火戸に適用できるものである。
本発明の実施の形態に係るサッシ窓は従来の窓やドアと同じく防火戸との機能を有し、また装飾格子を備えていることにより外観の美観を向上させると共に不審者が侵入するのを防止する防犯機能を合わせて備えている。
【００１９】
本発明の実施の形態に係るサッシ窓を図１に示し、このサッシ窓を採用した具体的なサッシ窓を図２、図３に示す。
【００２０】
図１に示すサッシ窓は、金属製の框材３と、框材３内に保持したガラスＧとからなる障子６と、障子６に対向する金属製の装飾格子１１と、装飾格子１１を框材３に取付ける金属製の取付け部材１５とを備えている。
そして、装飾格子１１は、長尺な二本以上の縦方向筒体１１Ａと、各筒体１１Ａ間に架設した水平材１１Ｂとから構成され、また、筒体１１Ａの上下端部の一方又は両方に合成樹脂製のキャップ１２が圧入されている。
さらに、上記キャップ１２は框材３に取付け部材１５を介して取付けられている。
框材３と、装飾格子１１の筒体１１Ａ及び水平材１１Ｂとは公知のように、アルミニュウム、鉄、銅とからなる金属材料で成形されており、キャップ１２はＡＢＳ樹脂その他公知の合成樹脂で成形されている。
但し、キャップ１２は金属材より融点の低い他の材料で成形しても使用可能である。
図２、図３の実施の形態に係るサッシ窓は、建築物の屋外側壁４ａと屋内側壁４ｂと取付け縁２等を備えた躯体４の開口部Ａに取付けた窓枠１と、窓枠１にそれぞれ取付けた屋外側框材３及び屋内側枠体５と、屋外框材３に取付けた障子６と、屋内側枠体５に着脱自在に取付けた網戸７とを備えている。
【００２１】
屋外側框材３は上下の框３Ａ、３Ｂと左右の縦框３Ｃ、３Ｄとから方形に形成され、この框材３の内側にペアガラスＧが保持されて障子６を構成している。
【００２２】
障子６の屋外側には装飾格子１１が配置され、この装飾格子１１は図１に示すように、框材３の上下端に取付け部材１５を介して取付けられている。
窓枠１は躯体４の開口部Ａに嵌合すると共にボルト、ビス等の取付け部材を介して躯体４に取付けられている。
【００２３】
窓枠１にはボルトや引っ掛け片を介して屋外側の框材３と屋内側枠体５とが取り付けられ、また屋内側枠体５はビス等を介して取付け縁２にも結合されている。
【００２４】
屋内側枠体５は上枠５Ａと下枠５Ｂと左側縦枠５Ｃと右側建枠５Ｄとで方形に形成され、この屋内側枠体５に網戸７が着脱自在に取付けられている。
【００２５】
網戸７は網本体１０と、網本体１０の上縁と下縁とにそれぞれ取付けた上側及び下側アタッチメント８Ａ、８Ｂと、網本体１０の左縁と右縁とにそれぞれ取付けた左側及び右側アタッチメント９Ａ、９Ｂとで構成されている。
本発明における装飾格子の取付け装置の要部は装飾格子１１における筒体１１Ａの端部に合成樹脂製のキャップ１２を圧入し、このキャップ１２を機械的な取付け部材１５を介して障子６側の框材３に取り付けたことである。
これにより、サッシ窓が火災による火炎で高温に晒されて障子６側の框材３や装飾格子１１側の筒体１１Ａや水平材１１Ｂが加熱された時、キャップ１２も同時に加熱され、框材３や筒体１１Ａ、水平材１１Ｂより融点の低いキャップ１２が障子６や装飾格子１１に先駆けて溶け落ちる。
その結果、障子側の框材３と装飾格子１１側の筒体１１Ａとの結合が解消されて装飾格子１１全体が自重で落下し、装飾格子１１の高温による変形がガラスＧや框材３に影響を与えず、障子６に亀裂や隙間が発生すのを防止できる。
この為、火災時の火炎がサッシ窓から侵入し、又は噴出するのを防止し、火災現場付近への延焼を防止でき、防火機能を向上させることが出来る。
【００２６】
本発明の実施の形態に係る装飾格子の取付け装置における基本構造は、上記の通りであるが、更に次の構成を備えているのが好ましい。
【００２７】
即ち、図９に示すように、装飾格子１１が框材３に対向する背面側上端部に筒体１１Ａの軸方向に向けて切りかかれた切欠き溝（１１Ｃ）を形成している。
【００２８】
キャップ１２は図５に示すように、筒体１１Ａの上端部開口端面に当接するヘッド部１２Ａと、ヘッド部１２Ａから軸方向に延びて筒体１１Ａ内に圧入された筒部１２Ｂと、筒部１２Ｂのヘッド側端部に外方に向けて膨出して切欠き溝１１Ｃ内に嵌合する突出部１２Ｃと、突出部１２Ｃに穿った係止孔１２Ｅとを備えている。
【００２９】
突出部１２Ｃは外方に向けて肉厚を厚くして一部を突出させて形成しても良い。
【００３０】
上記取付け部材１５は框材３の外面側から上記係止孔１２Ｅと上記切欠き溝１１Ｃに挿入して上記突出部１２Ｃに嵌合したボルト又はビス１４とで構成している。
【００３１】
この場合、  取付け部材１５をキャップたる突出部１２Ｃに嵌合しただけでも使用可能である。
【００３２】
しかしながら、キャップ１２全体が合成樹脂で成形されている結果ボルト又はネジ１４の保持力が機械式の締結に比べて弱く、しっかりとキャップ、言い換えれば、装飾格子１１を締結できない場合があるので、本発明の実施の形態では、突出部１２Ｃの内周に当接する座金状の金属製のナット１３を設け、ボルト又はビス１４をこのナット１３に螺合させて機械式に締結するのが好ましい。
【００３３】
キャップ１２は上記したように、ヘッド部１２Ａと、ヘッド部１２Ａから軸方向に延びる筒部１２Ｂと、筒部１２Ｂのヘッド側端部に外方に向けて膨出して形成した突出部１２Ｃと、突出部１２Ｃに穿った係止孔１２Ｅとを備えているが、図５（Ａ）に示すように、筒部１２Ｂの外面にリブ１２Ｄを形成してもよい。
【００３４】
リブ１２Ｄはキャップ１２における筒部１２Ｂを装飾格子１２の筒体１１Ａ内への圧入時のガイドとなり、併せて、圧入後この筒体１１Ａに対して圧接してキャップ１２の抜けを防止している。
【００３５】
ナット１３は図５（Ａ）に示すように、キャップ１２の下部からキャップ１２内に挿入させ、次いで、図５（Ｂ）に示すようにナット１３のネジ孔１３Ａを突出部１２Ｃに形成している係止孔１２Ｅに位置合わせさせ、この状態で図５（Ｃ）に示すように、キャップ１２を装飾格子１１の筒体１１Ａの端部に圧入する。
【００３６】
この場合、ナット１３が落下しないように、例えば、このナット１３をキャップ１２のおける突出部１２Ｃの内面に接着しておくことが好ましい。
【００３７】
次に、框材３側から、図６（Ｃ）、図８に示すように、ボルト又はネジ１４等の取付け部材１５を係止孔１２Ｅとナット１３のネジ孔１３Ａに挿入して螺合させる。
【００３８】
この状態では図６（Ｃ）、図８に示すように、ボルト又はネジ１４等の頭部とナット１３とが框材３とキャップ１２における突出部１２Ｃを挟持するので、キャップ１２が障子６側の框材３に結合され、結果的にキャップ１２を介して装飾格子１１が障子６に対向して結合される。
【００３９】
図６、図７は本発明の他の実施の形態を示す。
【００４０】
これは、装飾格子１１の筒体１１Ａとキャップ１２の筒部１２Ｂとに互いに対向する係止孔１６を取付け部材１５から外れた位置に形成させ、この係止孔１６内にボルト又はビスからなる他の止め具１７を差し込んで筒体１１Ａと筒部１２Ｂとの外れ止めを施したものである。
【００４１】
図５の実施の形態に示すように、装飾格子１１とキャップ１２とはキャップ１２を装飾格子１１に圧入しただけで両者の結合は可能であるが、図６、図７の実施の形態に示すように他の止め具１７で両者を結合することによりキャップ１２をより強固に結合でき、装飾格子１１の外れを防止できる。
【００４２】
上記図５、図６の実施の形態による装飾格子の取付け装置によれば、この装置を組み込んだサッシ窓、ドア等が火災による火炎で高温に晒された時、融点の低いキャップ１２が障子６や装飾格子１１に先駆けて溶け落ちる。
【００４３】
即ち、図９に示すように、キャップ１２が点線で示すように溶けるとキャップ１２の筒部１２Ｂと装飾格子１１の筒体１１Ａとの圧入による結合状態が解消され、また装飾格子の１１の筒体１１Ａ内に嵌合していた突出部１２Ｃも溶けてしまう。
【００４４】
その結果、ボルト又はビス１４とナット１３とは装飾格子１１の切欠き溝１１Ｃを水平に貫通しているだけで装飾格子１１を支えることが出来なくなり、装飾格子１１は切欠き溝１１Ｃを介して下方に落下する。
これにより、装飾格子１１の高温による変形がガラスＧや框材３に影響を与えず、障子６に亀裂や隙間が発生すのを防止できる。
従って、火災時の火炎がサッシ窓から侵入し、又は噴出するのを防止し、火災現場付近への延焼を防止でき、防火機能を向上させることが出来る。
【符号の説明】
【００４５】
３  框材
４  躯体
６  障子
１１  装飾格子
１１Ａ  筒体
１１Ｃ
１２  キャップ
１２Ａ  ヘッド部
１２Ｂ  筒部
１２Ｃ  突出部
１２Ｅ  係止孔
１４  ボルト又はビス
１３  ナット
１５  取付け部材
【図１】
2018162600.tif 000003
【図２】
2018162600.tif 000004
【図３】
2018162600.tif 000005
【図４】
2018162600.tif 000006
【図５】
2018162600.tif 000007
【図６】
2018162600.tif 000008
【図７】
2018162600.tif 000009
【図８】
2018162600.tif 000010
【図９】
2018162600.tif 000011